(57)【要約】【課題】一見しただけでノズルの動きを確認することができるようにし、動作不良に対する原因特定に要する時間を短縮するとともに、バイオハザードを回避することである。【解決手段】生体試料や試液等の液体を吸引又は吐出して移送するノズル１を備える生体試料検査装置１００であって、縦軸をノズルの位置を示す位置軸とし、横軸を時間軸としたグラフを表示して、ノズル１が液体を吸引又は吐出する位置である作動位置に対応させて、前記位置軸にその作動位置を示す作動位置情報を表示し、グラフＧ上にノズル１の一連の動きを表示する表示制御部７３を備えている。【選択図】図１
2010060526.tif 000002
【特許請求の範囲】
【請求項１】
異なる位置間を移動し、生体試料や試液等の液体を吸引又は吐出して移送する作動子を備える生体試料検査装置であって、
縦軸又は横軸の一方を前記作動子の位置を示す位置軸とし、縦軸又は横軸の他方を時間軸としたグラフを表示して、前記作動子が液体を吸引又は吐出する位置である作動位置に対応させて、前記位置軸に前記作動位置を示す作動位置情報を表示し、前記グラフ上に前記作動子の一連の動きを表示する表示制御部を備えている生体試料検査装置。
【請求項２】
前記表示制御部が、前記グラフ上に、各作動位置における作動子の昇降移動状態を表示する請求項１記載の生体試料検査装置。
【請求項３】
前記表示制御部が、前記作動子の一連の動きと、前記作動子の予め定められた基準動きとを同一画面上に表示するものである請求項１又は２記載の生体試料検査装置。
【請求項４】
前記作動子の一連の動きと、前記作動子の基準動きとを比較して、前記作動子の一連の動きが正常か否かを判断し、その判断結果データを前記表示制御部に出力する判断部を備え、
前記表示制御部が、前記判断部から判断結果データを受信して、前記作動子の一連の動きが異常である場合に、前記作動子の一連の動きが異常であることを示す報知情報を同一画面上に表示する請求項３記載の生体試料検査装置。
【請求項５】
前記表示制御部が、前記グラフが表示された画面と同一画面上又は、前記グラフの表示された画面とは異なる画面上に、装置各部の動作状態を表示する請求項１、２、３又は４記載の生体試料検査装置。
【請求項６】
前記装置各部の動作状態が、前記作動子の一連の動きに連動して変化する部位の動作状態である請求項３、４又は５記載の生体試料検査装置。
【請求項７】
前記装置各部の動作状態が、装置の流路上に設けられ、当該流路における流体の流通をコントロールするための制御弁の動作状態である請求項６記載の生体試料検査装置。
【発明の詳細な説明】
【技術分野】
【０００１】
本発明は、例えば血液などの生体試料を検査するための生体試料検査装置に関するものである。
【背景技術】
【０００２】
従来、生体試料を検査するための生体試料検査装置としては、例えば特許文献１に示すように、生体試料の輸送のために昇降自在なノズルを用いて、検体容器中の検体を吸引し、他の測定チャンバ等に吐出して検査を行うものがある。そして、ノズル及び測定チャンバ等には、生体試料、試薬などの液体又は気体が流通する流路を形成する配管が接続されている。その配管には、液体又は気体の流通をコントロールするための制御弁、及び、液体又は気体を移送するためのポンプ機構が設けられている。なお、これらノズル、配管、制御弁及びポンプ機構はケーシング内に収容されている。
【０００３】
そして、このような装置では、例えばノズル、制御弁又はポンプ機構等の誤作動などにより、装置全体の動作が停止してしまった場合には、そのときのノズルの停止位置を確認することにより、装置の動作不良の原因を予想できる。
【０００４】
しかしながら、ノズルがケーシング内に収容されているため、試行錯誤しながらノズルの停止位置を確認しなければならず、確認できたとしても、一回の測定ではノズルが複数回各位置に停止するため、どの段階で停止しているかは確認することができない。また、その確認作業に時間が掛かってしまうという問題がある。特に初心者が確認作業を行う場合には、その問題が一層顕著になる。
【０００５】
また、ノズルの停止位置が不明のまま、安易にノズルの停止位置の確認作業を行ってしまうと、ノズルの停止位置に依っては、オペレータに生体試料や試薬が付着してしまう等のバイオハザードの問題がある。さらに、動作不良の原因が不明のまま、装置の修理作業を行ってしまうと、動作不良の原因（例えば、廃液の漏洩等）に依っては、オペレータに生体試料や試薬が付着してしまう等のバイオハザードの問題がある。
【特許文献１】特開２００６−３１３１５１号公報
【発明の開示】
【発明が解決しようとする課題】
【０００６】
そこで本発明は、上記問題点を一挙に解決するためになされたものであり、一見しただけで作動子の位置及び一連の動きを確認することができるようにし、動作不良に対する原因特定に要する時間を短縮するとともに、バイオハザードを回避することをその主たる所期課題とするものである。
【課題を解決するための手段】
【０００７】
すなわち本発明に係る生体試料検査装置は、異なる位置間を移動し、生体試料や試液等の液体を吸引又は吐出して移送する作動子を備える生体試料検査装置であって、縦軸又は横軸の一方を前記作動子の位置を示す位置軸とし、縦軸又は横軸の他方を時間軸としたグラフを表示して、前記作動子が液体を吸引又は吐出する位置である作動位置に対応させて、前記位置軸に前記作動位置を示す作動位置情報を表示し、前記グラフ上に前記作動子の一連の動きを表示する表示制御部を備えていることを特徴とする。なお、生体試料は、血液、尿のほか、例えば、細胞、生体組織、藻類、菌類、細菌などの微生物を包含するものである。
【０００８】
このようなものであれば、生体試料検査装置の作動子の一連の動きが分かり、生体試料検査装置の動作停止時における作動子の位置を瞬時に確認することができる。このように、作動子の停止位置が分かることにより、試行錯誤的に作動子の停止位置を確認する必要が無く、動作不良箇所及び動作不良原因を予想することができるようになる。また、作動子の位置の時間変化であるグラフ上の時間軸に沿った一連の動きが分かることにより、作動子が測定中のどの段階で停止したかを容易に確認することができる。したがって、生体試料検査装置の動作不良の原因特定に要する時間を短縮することができる。また、ノズルの停止位置の確認作業を不要にするだけでなく、動作不良箇所及び動作不良原因を予想することができるので、オペレータに生体試料や試薬が付着してしまう等のバイオハザードを回避することができる。
【０００９】
動作不良箇所及び動作不良原因の予想を一層詳細且つ確実に行い、生体試料検査装置の動作不良の原因特定に要する時間を一層短縮するためには、前記表示制御部が、前記グラフ上に、各作動位置における作動子の昇降移動状態を表示することが望ましい。
【００１０】
作動子が、測定処理中のどの段階で停止したかを把握容易にするとともに、作動子の動きが予め定められた基準動きからどの程度誤差が生じているかを確認して、装置各部の異常を早期に発見可能にするためには、前記表示制御部が、前記作動子の一連の動きと、前記作動子の予め定められた基準動きとを同一画面上に表示するものであることが望ましい。
【００１１】
本発明の効果を一層顕著にして、オペレータの誤判断を防止するためには、前記作動子の一連の動きと、前記作動子の基準動きとを比較して、前記作動子の一連の動きが正常か否かを判断し、その判断結果データを前記表示制御部に出力する判断部を備え、前記表示制御部が、前記判断部から判断結果データを受信して、前記作動子の一連の動きが異常である場合に、前記作動子の一連の動きが異常であることを示す報知情報を同一画面上に表示することが望ましい。
【００１２】
以上のように、作動子の停止位置に基づいて、動作不良の原因特定を行うことができる理由は、装置各部の動作状態には、作動子の位置と対応関係を持つ一定のパターンが存在するからである。そうすると、作動子の停止位置から動作不良の原因特定を行うためには、作動子の位置と装置各部の動作状態との対応関係に精通している必要がある。このことから、作動子の停止位置のみから装置の動作不良を特定することは、熟練者の勘と経験が少なからず必要とされ、初心者が行う場合には、長時間を要し、その上、確認することすらできないという可能性がある。このような問題を好適に解決するためには、前記表示制御部が、前記グラフが表示された画面と同一画面上又は、前記グラフの表示された画面とは異なる画面上に、装置各部の動作状態を表示することが望ましい。
【００１３】
具体的には、前記装置各部の動作状態が、前記作動子の一連の動きに連動して変化する部位の動作状態であることが望ましい。より好ましくは、前記装置各部の動作状態が、装置の流路上に設けられ、当該流路における流体の流通をコントロールするための制御弁の動作状態であることが望ましい。ここで、装置各部の動作状態のうち制御弁の動作状態が最も頻繁に変化することから、作動子の停止位置のみから装置各部の動作状態が複数パターン想起された場合であっても、作動子が停止したときの制御弁の動作状態により、装置各部の動作状態を絞り込むことができ、動作不良箇所及び動作不良原因を特定しやすくすることができる。例えば、作動子の停止位置から例えば５パターンの装置各部の動作状態が考えられる場合に、制御弁の動作状態を見ることによって、装置各部の動作状態を５パターンから例えば１パターンや２パターンに絞り込むことができるようになる。
【００１４】
制御弁の動作状態から作動子の停止原因を特定することができない場合、より詳細に原因を特定する場合、又は動作不良箇所及び動作不良原因の原因を制御弁以外のもので行う場合には、前記装置各部の動作状態が、装置の流路上に設けられ、当該流路において流体を移送させるためのポンプ機構の動作状態であることが望ましい。これならば、ポンプ機構の動作状態により、作動子の停止位置のみから装置各部の動作状態が複数パターン想起された場合にであっても、装置各部の動作状態を絞り込むことができる。
【００１５】
前記制御弁及びポンプ機構の動作状態によっては、動作不良の原因を特定することができない場合、より詳細な原因を特定する場合、又は動作不良箇所及び動作不良原因の原因を制御弁、ポンプ機構以外のもので行う場合には、前記表示制御部が、前記グラフが表示された画面と同一画面上、又は前記グラフの表示された画面とは異なる画面上に、装置各部に設けられたセンサから得られる検出内容を表示することが望ましい。これならば、センサからの検出内容により、作動子の停止位置のみから装置各部の動作状態が複数パターン想起された場合にであっても、装置各部の動作状態を絞り込むことができる。
【発明の効果】
【００１６】
このように本発明によれば、一見しただけで作動子の位置及び一連の動きを確認することができるようにし、動作不良に対する原因特定に要する時間を短縮するとともに、バイオハザードを回避することができる。
【発明を実施するための最良の形態】
【００１７】
次に、本発明の生体試料検査装置として、血液分析装置１００の一実施形態について図面を参照して説明する。なお、図１は本実施形態の血液分析装置１００の概略構成図、図２は、血液分析装置１００の全体流体回路図、図３は情報処理装置７の機能構成図、図４、図５及び図６は表示制御部の表示内容を示す図である。
【００１８】
＜装置構成＞
本実施形態に係る血液分析装置１００は、電気抵抗法により、ＷＢＣ（白血球数）、ＲＢＣ（赤血球数）、ＰＬＴ（血小板数）、ＭＣＶ（赤血球容積）、Ｈｃｔ（ヘマトクリット値）を測定し、またシアンメトヘモグロビン法における吸光光度法によりＨｇｂ（ヘモグロビン濃度）等を測定するものであり、さらに白血球分類機能を有する。
【００１９】
血液分析装置１００の基本構成は、図１及び図２に示すように、検体容器Ｔ中の血液検体を吸引又は吐出するノズル１と、当該ノズル１を駆動するためのノズル駆動部２と、ノズル１により吸引された血液検体又は空気等の流体を流通させる流通経路３と、その流通経路３上に設けられた測定チャンバ４と、流通経路３上の流体の流通をコントロールする１以上の流体制御ユニット５と、測定チャンバ４内の血液検体のＷＢＣ等を測定するための測定機器６と、ノズル駆動部２に制御信号を出力してノズル１の駆動を制御するとともに、測定機器６から測定信号を受け付けて測定チャンバ４内の血液検体のＷＢＣ等の分析などを行う情報処理装置７と、を備えている。
【００２０】
以下、各部１〜７について説明する。
【００２１】
ノズル１は、図１に示すように、略鉛直状態に保持された検体容器Ｔ内の血液検体を吸引し、複数の測定チャンバ４において当該血液検体や試液等の液体を吸引及び／又は吐出するものであり、ノズル駆動部２により駆動される。また、ノズル１の基端部は、後述する定注器ユニット５２に繋がれた配管３１（３１ｂ）（例えば弾性チューブ）が接続されている。一方、ノズル１の先端部は、ノズル洗浄器８に挿入され、先端部外周面が洗浄させるようにしている。なお、符号Ｓ１は、ノズル１が初期位置（定位置）にあるか否かを検出するための位置センサである。
【００２２】
ノズル駆動部２は、図２に示すように、ノズル１が取り付けられており、後述する情報処理装置７からの制御信号を受信し、その制御信号に応じて水平方向又は鉛直方向にノズル１を駆動するものである。その構成は、ノズル１を水平方向に駆動する第１のタイミングベルト２１及びその第１のタイミングベルト２１を駆動する第１のモータ２２と、ノズル１を鉛直方向に駆動する第２のタイミングベルト２３及びその第２のタイミングベルト２３を駆動する第２のモータ２４と、前記第２のタイミングベルト２３に設けられ、ノズル１を保持するノズル保持部２５と、を備えている。
【００２３】
流通経路３は、図２に示すように、血液検体、空気、希釈液、試薬（本実施形態では溶血液）などを流通させるものであり、血液検体を吸引等するノズル１、流体制御ユニット５、測定チャンバ４、希釈液を収容する希釈液容器９、溶血液を収容する溶血液容器１０などを連結する配管３１から構成される。
【００２４】
そして、配管３１は、空気を流通させる空気流路管３１ａと、血液検体及び希釈液を流通させる血液検体等流路管３１ｂと、希釈液を流通させる希釈液流路管３１ｃと、測定が終了した後の血液検体などの廃液を流通させる廃液流路管３１ｄと、洗浄液を流通させる洗浄液流路管３１ｅと、希釈液及び洗浄液を流通させる洗浄液等流路管３１ｆと、溶血液を流通させる溶血液流路管３１ｇからなる。
【００２５】
本実施形態における測定チャンバ４は、ヘモグロビン測定用チャンバ（以下「Ｈｇｂ測定用チャンバ」という。）、白血球（リンパ球、単球、好中球、好酸球）測定用チャンバ（以下、「ＷＢＣ（ＬＭＮＥ）測定用チャンバ」という。）、赤血球測定用チャンバ（以下、「ＲＢＣ測定用チャンバ」という。）及び白血球（好塩基球）測定用チャンバ（以下、ＷＢＣ（ＢＡＳＯ）測定用チャンバ」という。）等である。各チャンバには、測定すべき測定対象の測定方式に応じた測定機器６が設けられている。なお、図１及び図２においては、ＷＢＣ（ＢＡＳＯ）測定用チャンバ及びＲＢＣ測定用チャンバのみを図示し、それぞれの符号を４１、４２といている。以下、装置構成の説明において、複数の測定用チャンバのうち、便宜的にＷＢＣ（ＢＡＳＯ）測定用チャンバ及びＲＢＣ測定用チャンバのみを用いて説明する。
【００２６】
測定機器６は、図１に示すように、電気抵抗法を実現するための例えば白金電極などの測定電極６１や、シアンメトヘモグロビン法等の光学的測定法を実現するための例えばハロゲンランプ等の光源６２及び光検出器６３等である。各測定機器６は、測定対象に併せて各チャンバ４に設けられている。
【００２７】
流体制御ユニット５は、流体制御のための関連する機能をユニット化してなるものであり、内部流路５０１を形成するマニホールド５０２と、内部流路５０１における流体の流通をコントロールする１以上の関連する電磁制御弁５０３と、内部流路５０１と流通経路３とを接続するための接続ポート（図示しない）と、流路（内部流路５０１及び流通経路３）において流体を移送させるためのポンプ機構５０４とを一体的に有する。なお、マニホールド５０２とは、内部経路５０１を含むブロックのことである。
【００２８】
具体的な流体制御ユニット５は、図２に示すように、流通経路３内での空気の流通及び廃液の流通をコントロールするエアポンプユニット５１と、流通経路３内での液体の流通をコントロールする定注器ユニット５２と、血液検体を希釈するための希釈液を貯蔵してその希釈液の温度を調節する希釈液温度調節ユニット５３と、洗浄液を流通させるための内部流路５０１と廃液を流通させるための内部流路５０１とを区画して備えたアイソレータユニット５４である。なお、図２においては、内部経路５０１、マニホールド５０２、電磁制御弁５０３、ポンプ機構５０４の符号をエアポンプユニット５１に代表させて示している。
【００２９】
エアポンプユニット５１は、後述する希釈液温度調節ユニット５３、ＲＢＣ測定用チャンバ４２、ノズル洗浄器８、アイソレータユニット５４及び廃液容器１１と繋がれている。なお、廃液容器１１には、廃液の貯留量を検出するための液面センサＳ２が設けられている。また、エアポンプユニット５１には、内部流路２０１内の圧力を検出する圧力センサＳ３が設けられ、流通経路３内における流体の流通の有無を判断することができる。さらに、エアポンプユニット５１には、ポンプ機構５０４を構成するピストン体のストローク位置を検出する機械的センサである位置センサＳ４が設けられている。
【００３０】
定注器ユニット５２は、ノズル１、アイソレータユニット５４、ノズル洗浄器８、希釈液温度調節ユニット５３、溶血液容器１０、及びＷＢＣ（ＢＡＳＯ）測定用チャンバ４１に溶血液を注入するための注入ブロック１２に繋がれている。また、定注器ユニット５２とノズル１とを繋ぐ血液検体等流路管３１ｂには、温度センサＳ５及び液体の有無を検出するための液センサＳ６が設けられており、定注器ユニット５２と溶血液容器１０とを繋ぐ溶血液流路管３１ｇには、液センサＳ７が設けられている。さらに、定注器ユニット５２には、ポンプ機構５０４を構成するピストン体のストローク位置を検出する位置センサＳ８〜Ｓ１０を備えている。この位置センサＳ８〜Ｓ１０は、溶血液用ポンプ機構、希釈液用ポンプ機構、血液検体用ポンプ機構それぞれに対応して設けられている。
【００３１】
希釈液温度調節ユニット５３は、エアポンプユニット５１、希釈液容器９及び定注器ユニット５２に繋がれている。また、希釈液温度調節ユニット５３には、希釈液の貯留量を検出するための液面センサＳ１１が設けられている。さらに、希釈液温度調節ユニット５３と希釈液容器９とを繋ぐ希釈液流路管３１ｃには、希釈液の有無を検出する液センサＳ１２が設けられている。
【００３２】
アイソレータユニット５４は、洗浄液を流通させるための内部流路と廃液を流通させるための内部流路とを区画して備えたものであり、ＷＢＣセル４１１、ＲＢＣセル４１２、定注器ユニット５２、洗浄液容器１３及びエアポンプユニット５１に繋がれている。また、アイソレータユニット５４と洗浄液容器１３とを繋ぐ洗浄液流路管３１ｅには、洗浄液の有無を検出するための液センサＳ１３が設けられており、アイソレータユニット５４とエアシリンジユニットとを繋ぐ廃液流路管３１ｄには、廃液の流通を検出するための液センサＳ１４が設けられている。さらに、アイソレータユニット５４と各測定チャンバ４とを繋ぐ各廃液流通管３１ｄには、廃液の流通を検出するための液センサＳ１５、Ｓ１６が設けられている。
【００３３】
情報処理装置７は、ノズル駆動部２、ポンプ機構５０４及び電磁制御弁５０３などを測定手順に従って制御するとともに、各測定チャンバ４に設けられた測定機器６からの測定信号を受け付けて、所定の演算を行い、測定チャンバ４内の血液検体の分析を行うものである。
【００３４】
その機器構成は、例えばＣＰＵ、内部メモリ、入出力インタフェース、ＡＤ変換器等からなる汎用又は専用のコンピュータであり、前記内部メモリの所定領域に格納してあるプログラムに基づいてＣＰＵやその周辺機器等が作動することにより、図３に示すように、演算部７１、動作制御部７２、表示制御部７３等として機能する。もちろん、これら各機能を発揮させるために、コンピュータによることなくバッファや増幅器、比較器等を用いたディスクリートアナログ回路を用いて構成しても構わない。
【００３５】
以下、演算部７１、動作制御部７２及び表示制御部７３を詳述する。
【００３６】
演算部７１は、各測定チャンバ４に設けられた測定機器６からの測定信号を受信して、その測定信号から、各測定チャンバ４における測定項目を算出するものである。そして、その測定結果データを表示制御部７３に出力する。
【００３７】
動作制御部７２は、ノズル駆動部２、ポンプ機構５０４及び電磁制御弁５０３などに制御信号を出力し、装置各部を測定手順に応じて制御するものである。
【００３８】
具体的に動作制御部７２は、ノズル１を水平方向及び鉛直方向に駆動させることにより、検体容器Ｔ及び複数の測定チャンバ４間を移動させつつ、ポンプ機構５０４及び電磁制御弁５０３を所定の動作を行うように制御することにより、ノズル１が液体を吸引及び／又は吐出するように制御するものである。
【００３９】
また、動作制御部７２は、前述した装置各部に設けられたセンサＳ１〜Ｓ１６（位置センサ、圧力センサ、液センサなど）からの検出データを受信して、ノズル１、ポンプ機構５０４及び電磁制御弁５０３等の装置各部が所望の動作を行っているか否かを判断し、その判断の結果、所望の動作を行っていない場合には、装置１００全体を停止する。
【００４０】
さらに、動作制御部７２は、ノズル駆動部２に出力する制御信号により特定されるノズル１の位置を示す位置データを表示制御部７３に出力する。また、上述したように、動作制御部７２は、装置１００全体を停止する場合には、その停止信号を表示制御部７３に出力する。このとき、動作制御部７２は、各流体制御ユニット５の電磁制御弁５０３の制御信号により特定される各電磁制御弁５０３の開閉状態を示す開閉状態データを表示制御部７３に出力するとともに、各流体制御ユニット５に設けられた位置センサＳ４、Ｓ８〜Ｓ１０により得られる各ポンプ機構５０４のピストン体のストローク位置を示すストローク位置データを表示制御部７３に出力する。その上、動作制御部７２は、その他、流通経路３上に設けられた液センサＳ６、Ｓ７、Ｓ１３〜Ｓ１６、エアポンプユニット５１に設けられた圧力センサＳ３、廃液容器１１などに設けられた液面センサＳ２等の装置各部に設けられたセンサＳ１〜Ｓ１６からの検出データを表示制御部７３に出力する。
【００４１】
表示制御部７３は、動作制御部７２からの位置データ及び停止信号に基づいて、ノズル１の動きをディスプレイ１４上に表示するものである。このように、ノズル１の動きを表示することにより、オペレータは、ノズル１の停止位置を瞬時に把握して、そのノズル１の停止位置を時間のパラメータとして装置各部の動作状態を想起することができ、ノズル１が停止した原因をある程度予想することができる。なお、ディスプレイ１４としては、ＣＲＴディスプレイ、液晶ディスプレイ、プラズマディスプレイ等、表示画面を有するものである。
【００４２】
具体的に表示制御部７３は、縦軸又は横軸の一方をノズル１の位置を示す位置軸とし、縦軸又は横軸の他方を時間軸としたグラフＧをディスプレイ１４上に表示し、そのグラフＧ上に、各時間におけるノズル１の位置を連続的に線で結ぶことにより、ノズル１の経時的変化である一連の動きを表示するものである。
【００４３】
本実施形態のグラフＧは、図４に示すように、縦軸をノズル１の位置を示す位置軸とし、横軸を時間軸としたものである。また、位置軸には、ノズル１が液体を吸引又は吐出する位置である作動位置（例えば測定チャンバ４や洗浄チャンバ）に対応した目盛りＭが表示され、その目盛りＭに対応する近傍（図４では左側）に、作動位置情報であるノズル１の作動位置の名称Ｐが表示される。作動位置の名称Ｐは、例えば各測定チャンバ４の測定対象の名称である。
【００４４】
具体的に作動位置が、Ｈｇｂ測定用チャンバ、ＷＢＣ（ＬＭＮＥ）測定用チャンバ、ＲＢＣ測定用チャンバ４２、ＷＢＣ（ＢＡＳＯ）測定用チャンバ４１である場合には、例えば各測定用チャンバ４の測定対象の名称である「ＤＩＬ１  Ｈｇｂ」、「ＬＭＮＥ」、「ＲＢＣ」、「ＢＡＳＯ  ＷＢＣ」がそれぞれ表示される。さらに、ノズル１を洗浄するためのチャンバである洗浄チャンバも表示され、その名称である「ＲＩＮＳＥ」が表示されている。なお、図４中のグラフＧは、ノズル１の基準動き（基準動作）を示している。
【００４５】
また、表示制御部７３は、図５に示すように、動作制御部７２からの停止信号を受信した場合には、停止したことをオペレータに報知する報知情報Ｉ１を測定結果が表示される画面と同一画面上に表示する。なお、測定結果としては、ＷＢＣ、ＲＢＣ、ＰＬＴ、ＭＣＶ、Ｈｃｔ、Ｈｇｂ又はＬＭＮＥ等であり、これらは、数値データ、ヒストグラム、マトリックス等として表示される。
【００４６】
具体的には、図５に示すように、ディスプレイ１４上に表示された測定結果表示領域Ｗ１１に隣接する領域に報知情報表示領域Ｗ１２が表示され、その報知情報表示領域Ｗ１２上に報知情報が報知アイコンＩ１として表示される。なお、本実施形態では、報知情報表示領域Ｗ１２は、測定結果表示領域Ｗ１１の右隣に表示されているが、これに限られない。
【００４７】
さらに、表示制御部７３は、例えばキーボードやマウス等の入力手段１５により報知アイコンＩ１が選択された場合に、当該報知アイコンＩ１に対応する報知内容Ｓをディスプレイ１４上に表示する。なお、報知アイコンＩ１が選択された際に、選択信号が、入力手段１５から表示制御部７３に出力される。本実施形態では、報知アイコンＩ１が選択されたとき、報知内容Ｓは、上述したグラフＧと同一画面上に、図４及び図６に示すように、グラフＧの下部に表示される。
【００４８】
報知内容Ｓは、装置各部の動作状態を示す内容であり、ノズル１の一連の動きに連動して変化する部位の動作状態である。例えば、装置１００内部の流路（具体的には、内部流路５０１）上に設けられた電磁制御弁５０３の開閉動作である。このとき、開閉動作としては、装置停止時の開閉状態のみでも良いし、装置起動時から装置停止時までの各電磁制御弁５０３の開閉の経時変化でも良い。また、表示方法としては、図６に示すように、各電磁制御弁５０３の開閉動作をグラフ上に表示するようにしても良いし、文字で表示しても良い。
【００４９】
これにより、ノズル１の停止位置を時間のパラメータとして想起される電磁制御弁５０３の開閉動作状態と、報知内容Ｓとして表示される電磁制御弁５０３の開閉状態とを比較することにより、装置停止の原因特定をより詳細に行うことができる。
【００５０】
その他、装置各部の動作状態としては、装置１００内部（具体的には、流体制御ユニット５）に設けられたポンプ機構５０４の動作状態である。このとき、動作状態としては、装置停止時のピストン体の位置のみでも良いし、装置起動時から装置停止時までの各ピストン体の位置の経時変化でも良い。なお、ピストン体の位置は、各ポンプ機構５０４に設けられた位置センサＳ４、Ｓ８〜Ｓ１０により検出される。
【００５１】
これにより、ノズル１の停止位置及び電磁制御弁５０３の開閉動作のみでは動作不良の原因を特定できない場合には、ノズル１の停止位置を時間のパラメータとして想起されるポンプ機構５０４の動作状態と、報知内容Ｓとして表示されるポンプ機構５０４の動作状態とを比較することにより、動作不良の原因を特定することができる。一方、ノズル１の停止位置及び電磁制御弁５０３の開閉動作により動作不良をある程度特定できる場合には、その動作不良の原因の再確認及びより詳細な原因特定を行うことができる。
【００５２】
また、報知内容Ｓとして、装置各部に設けた各センサＳ１〜Ｓ１６から得られる検出内容を表示しても良い。具体的には、ノズル１の位置を検出する位置センサＳ１、各ポンプ機構５０４のストローク位置を検出する位置センサＳ４、Ｓ８、Ｓ９Ｓ１０以外のセンサである装置各部に設けたセンサＳ２、Ｓ４、Ｓ５〜Ｓ７、Ｓ１１〜Ｓ１６から得られる検出内容を表示する。このとき、各センサＳ２、Ｓ４、Ｓ５〜Ｓ７、Ｓ１１〜Ｓ１６からの検出内容としては、装置停止時又はその直前の各センサＳ２、Ｓ４、Ｓ５〜Ｓ７、Ｓ１１〜Ｓ１６からの検出内容のみを表示しても良いし、装置動時から装置停止時までの各センサＳ２、Ｓ４、Ｓ５〜Ｓ７、Ｓ１１〜Ｓ１６からの検出内容の経時変化を表示するようにしても良い。
【００５３】
これにより、前記ノズル１の停止位置、電磁制御弁５０３の開閉動作状態及びポンプ機構５０４の動作状態のみによっては、原因特定ができない場合であっても、ノズル１の停止位置を時間のパラメータとして想起される各センサＳ２、Ｓ４、Ｓ５〜Ｓ７、Ｓ１１〜Ｓ１６の検出内容と、報知内容Ｓとして表示される各センサＳ２、Ｓ４、Ｓ５〜Ｓ７、Ｓ１１〜Ｓ１６の実際の検出内容とを比較することにより、装置１００の動作不良の原因を特定することができる。一方、ノズル１の停止位置、電磁制御弁５０３の開閉状態又はポンプ機構５０４の動作状態により動作不良をある程度特定できる場合には、その動作不良の原因の再確認及びより詳細な原因特定を行うことができる。
【００５４】
例えば、通常、測定チャンバ４から廃液が行われない状態（測定時）において、ＷＢＣ（ＢＡＳＯ）測定用チャンバ４１とアイソレータユニット５４とを繋ぐ廃液流通管３１ｄに設けられた液センサＳ１５の検出内容が、廃液の流通を示すものである場合には、廃液流通管３１ｄの損傷により廃液が外部に漏れていること、廃液流通管３１ｄとアイソレータユニット５４との接続に不具合があること、又はアイソレータユニット５４内の電磁制御弁５０３が故障していること等を判断することができる。また、廃液容器１１に設けられた液面センサＳ２の検出内容が、廃液が満タン又は所定量以上を示すものである場合には、廃液容器１１内の廃液が満タン又は所定量以上であるから装置１００が停止したと判断することができる。
【００５５】
このような報知内容Ｓにおいて、表示制御部７３は、電磁制御弁５０３の開閉動作、ポンプ機構５０４の動作（ストローク位置）及び各センサＳ２、Ｓ４、Ｓ５〜Ｓ７、Ｓ１１〜Ｓ１６からの検出内容を、例えばこの順に段階的に表示する。
【００５６】
また、本実施形態の表示制御部７３は、図６に示すように、グラフＧの時間軸と報知内容（具体的には例えば電磁制御弁５０３の開閉動作）の時間軸と同期させて表示している。つまり、グラフＧの時間軸と報知内容の時間軸とは、目盛りが同一となるように表示する。さらに、表示制御部７３は、グラフＧと報知内容とを上下に表示しているので、ノズル１が停止した場合に、当該ノズル１のグラフＧ上での停止位置から視線を上下（図６では下）にずらすだけで、電磁制御弁５０３の開閉状態を確認することができる。これにより、瞬時に電磁制御弁５０３等の装置各部の動作状態を確認し、ノズル１の停止原因を特定しやすくすることができる。
【００５７】
以下、上記各情報を段階的に表示した場合における動作不良の原因を特定する具体例について、図７を参照して説明する。
【００５８】
まず、装置が停止した場合に、オペレータは、入力手段１５により画面上に表示された報知アイコンＩ１を選択する。そうすると、表示制御部７３は、ノズル１の一連の動きを示すグラフＧを表示する（図７の（Ａ））。図７（Ａ）では、ノズル１がＷＢＣ（ＢＡＳＯ）測定用チャンバ４１で停止したことを示している。これにより、オペレータは、ノズル１の停止位置が、ＷＢＣ（ＢＡＳＯ）測定用チャンバ４１であることを確認することができる。
【００５９】
そして、次に、オペレータは、画面上に表示された切り替え用アイコンＩ２（図４、図６参照）のうち、アイコン「Ｖ」選択する。そうすると、表示制御部７３は、動作制御部７２から開閉状態データを取得して、電磁制御弁５０３の開閉状態を表示する（図７（Ｂ））。なお、図７（Ｂ）では、アイソレータユニット５４の電磁制御弁ＬＶ１（図２参照）の開閉状態のみを示している。これにより、オペレータは、ノズル１の停止位置及び画面上に表示された電磁制御弁ＬＶ１の開閉状態から、装置各部の動作状態を想起することができる。
【００６０】
次に、オペレータは、画面上に表示された切り替え用アイコンＩ２（図４、図６参照）のうち、アイコン「Ｐ」を選択する。そうすると、表示制御部７３は、動作制御部７２から各位置センサＳ４、Ｓ８〜Ｓ１０の検出内容を示すデータを取得して、各位置センサＳ４、Ｓ８〜Ｓ１０の検出内容を表示する（図７（Ｃ））。なお、図７（Ｃ）では、エアポンプユニット５１のポンプ機構５０４に設けられた位置センサＳ４の検出内容のみを示している。これにより、オペレータは、エアポンプユニット５１のポンプ機構５０４がＷＢＣ（ＢＡＳＯ）測定用チャンバ４１から排液を行うために吸引している（ピストン体が上がっている）状態を確認することができ、この動作状態が、ノズル１の停止位置及び電磁制御弁ＬＶ１の開閉動作状態から想起される状態で一致していることを確認することができる。つまり、ポンプ機構５０４が正常に動作していることを確認することができる。
【００６１】
次に、オペレータは、画面上に表示された切り替え用アイコンＩ２（図４、図６参照）のうち、アイコン「Ｓ」を選択する。そうすると、表示制御部７３は、動作制御部７２から各センサＳ２、Ｓ４、Ｓ５〜Ｓ７、Ｓ１１〜Ｓ１６の検出内容を示すデータを取得して、各センサＳ２、Ｓ４、Ｓ５〜Ｓ７、Ｓ１１〜Ｓ１６の検出内容を表示する（図７（Ｄ））。なお、図７（Ｄ）では、廃液流通路３１ｄに設けられて廃液の流通を検出するＳ１５の検出内容（「液体有り」又は「液体無し」）のみを示している。これにより、オペレータは、電磁制御弁ＬＶ１が３秒間のみ開放していることから、センサＳ１５が「液体有り」と検出するのは３秒間であると想起することができるところ、５秒経過後も「液体有り」状態が続いていることを確認することができる。つまり、オペレータは、ノズル１の停止位置及び電磁制御弁５０３の開閉動作状態から想起される状態と、センサＳ１５の検出内容とが一致していないことを確認することができる。
【００６２】
以上から、オペレータは、装置停止の原因が、例えば、廃液流通路３１ｄの詰まり、電磁制御弁ＬＶ１の詰まりや故障などであると判断することができる。なお、上記説明においては、各情報を段階的に表示するにあたり、オペレータが切り替え用アイコンＩ２を選択することにより実現しているが、その他、自動的に切り替え表示を行うようにしても良い。
【００６３】
これにより、オペレータが動作不良の原因特定を段階的且つ簡単に行うことができるようになる。つまり、ノズル１の停止位置、電磁制御弁５０３の開閉動作状態、ポンプ機構５０４の動作状態、各センサＳ２、Ｓ４、Ｓ５〜Ｓ７、Ｓ１１〜Ｓ１６の検出内容の順に、装置１００における動作不良の原因となっている部分の範囲を徐々に絞り込むことができる。なお、表示内容に応じてアクセス制限を設け、例えば各センサＳ２、Ｓ４、Ｓ５〜Ｓ７、Ｓ１１〜Ｓ１６からの検出内容は、所定のアクセス権限を有するユーザのみが照会できるようにしても良い。
【００６４】
＜本実施形態の動作＞  次に本実施形態の血液分析装置１００において、動作不良が生じた場合の表示制御部７３の表示内容について説明する。
【００６５】
装置１００に設けられた起動ボタン（図示しない）が押されることにより、情報処理装置７の動作制御部７２が、通常の測定手順に従って、ノズル駆動部２、ポンプ機構５０４及び電磁制御弁５０３等を制御する。そうすると、ノズル１は、検体容器Ｔ、各測定チャンバ４間を移動して、血液検体や試薬などを吸引又は吐出する。これにより、各測定チャンバ４に設けられた測定機器６が、各測定対象を測定する。このとき、動作制御部７２は、ノズル１の位置を示す位置データを表示制御部７３に出力する。
【００６６】
情報処理装置７の演算部７１は、測定機器６から測定信号を随時受信して、各測定チャンバ４における測定項目を算出して、その測定結果データを表示制御部７３に出力する。この測定結果データを受信した表示制御部７３は、その測定結果を数値データ、ヒストグラム、マトリックス等として表示する。
【００６７】
このような装置作動時において、動作制御部７２は、動作制御部７２に予め記憶されている通常の測定手順で検出される一連のセンサＳ１〜Ｓ１６の検出信号状態から、装置各部に設けられたセンサＳ１〜Ｓ１６から受信した検出信号が正常か否かを判断する。そして、センサＳ１〜Ｓ１６から受信した検出信号のうち、１つ又は複数のセンサから受信した検出信号が異常であると判断した場合には、装置各部に停止信号を出力して装置１００を停止させるとともに、表示制御部７３に停止信号を出力する。このとき、動作制御部７２は、表示制御部７３に開閉状態データ、ストローク位置データ及び各センサＳ１〜Ｓ１６からの検出信号を出力する。
【００６８】
その後、表示制御部７３は、装置１００が停止されるまでの測定結果とともに、報知情報である報知アイコンＩ１を同一画面上に表示する（図５参照）。
【００６９】
次に、オペレータによって報知アイコンＩ１が選択されたとき、表示制御部７３は、入力手段１５からの入力信号を受信して、図４、図６に示すように、ノズル１の一連の動きを示すグラフＧをディスプレイ１４の画面上に表示する。ここで、表示制御部７３は、報知アイコンＩ１に対応する報知内容ＳをグラフＧの下部に表示する。図６において、グラフＧから、ノズル１がヘモグロビン測定用チャンバ４で停止していることが瞬時に分かり、また、報知内容Ｓには、電磁制御弁５０３の開閉動作が表示される。また、画面上に表示された切り替え用アイコンＩ２が選択されると、表示制御部７３は、各ポンプ機構５０４のストローク位置や、センサＳ２、Ｓ４、Ｓ５〜Ｓ７、Ｓ１１〜Ｓ１６からの検出内容を表示する。
【００７０】
＜本実施形態の効果＞
このように構成した本実施形態に係る血液分析装置１００によれば、ノズル１の一連の動きが分かり、血液分析装置１００の動作停止時におけるノズル１の位置を瞬時に確認することができる。このように、ノズル１の停止位置が分かることにより、試行錯誤的にノズル１の停止位置を確認する必要が無く、さらには、動作不良箇所及び動作不良原因を予想することができる。また、作動子の一連の動きが分かることにより、作動子が測定中のどの段階で停止したかを容易に確認することができる。したがって、血液分析装置１００の動作不良の原因特定に要する時間を短縮することができる。また、動作不良箇所及び動作不良原因を予想することができるので、オペレータに生体試料や試薬が付着してしまう等のバイオハザードを回避することができる。
【００７１】
＜その他の変形実施形態＞
なお、本発明は前記実施形態に限られるものではない。以下の説明において前記実施形態に対応する部材には同一の符号を付すこととする。
【００７２】
例えば、前記実施形態では、表示制御部は、動作制御部から、制御信号により特定されるノズルの位置データを取得するようにしているが、その他、ノズル駆動部からの駆動信号を取得して、ノズルの位置を算出し、ノズルの動きを表示するようにしても良いし、各測定チャンバ等の装置各部にノズル１の有無を感知するセンサを設け、そのセンサからの検出信号を受信して、ノズルの位置を算出して、ノズルの動きを表示するようにしても良い。
【００７３】
また、前記実施形態では、ノズルの動きを示すグラフを、報知アイコンが選択された後に表示するものであったが、測定結果とともに同一画面上に表示するようにしても良い。なお、測定結果が得られる前に装置が停止した場合には、測定結果が表示される画面と同一画面上に表示するようにしても良い。
【００７４】
さらに、本実施形態では、実際のノズルの動き（実動作）のみがグラフ上に表示されているが、実際のノズルの動きと併せて、装置の起動時から測定終了時までのノズル１の基準動き（基準動作）を表示するようにしても良い。この場合、例えば、前記動作制御部が、基準位置データを表示制御部に出力するものであり、表示制御部が、ノズルの実動作と併せて基準動作を表示する。これならば、ノズルの実動作と基準動作とを同一グラフ上で見比べることができ、オペレータに対する利便性を向上させることができ、装置の動作不良の原因特定の一助とすることができる。同様の理由により、装置各部の実動作とともに、その基準動作を表示することが望ましい。例えば、電磁制御弁５０３の開閉動作状態とともにその基準動作、ポンプ機構５０４の動作状態とともにその基準動作、各センサＳ２、Ｓ４、Ｓ５〜Ｓ７、Ｓ１１〜Ｓ１６の検出内容とともに基準検出内容を表示するようにしても良い。
【００７５】
また、前記実施形態では、報知情報である報知アイコンを測定結果と共に同一画面上に表示しているが、図８に示すように、ノズルの動きを表示するグラフＧ上に表示するようにしても良い。この場合、ノズルの動きが異常であることを示すグラフＧ上の点又は範囲の近傍に表示する。図８においては、同一画面上に報知内容Ｓが表示されるようにしているが、報知アイコンＩ１を選択して初めて、別の画面又は同一画面に報知内容Ｓが表示されるようにしても良い。
【００７６】
前記実施形態では、装置が停止した場合に報知内容を表示して、さらにノズルの動きをグラフ上に表示するものであったが、装置が停止しない場合であっても、つまり一連の測定が終了した場合にも、ノズルの動きを表示するようにしても良い。このとき、ノズルの実際に動きに加えて、ノズルの基準動きを併せて表示することが望ましい。これならば、ノズルの動作に関して、装置が停止する誤動作には至らない程度の動作を予め把握することができ、ノズルの誤動作を事前に防ぐことができる。
【００７７】
また、本実施形態では、報知内容をグラフの下部に表示しているが、オペレータに見やすい領域であれば報知内容の表示はグラフの下部に限られず、グラフの近傍などの周辺領域や、グラフ上に表示するようにしても良い。
【００７８】
さらに、本実施形態では、報知内容は報知アイコンが選択されたときに、グラフと同一画面上に表示されるものであるが、新たな画面に報知内容のみを表示するようにしても良い。
【００７９】
報知内容としては、装置各部の動作状態に限られず、誤動作の内容や、その誤動作に対する対処方法等であっても良い。この場合、誤動作の内容や、その対処方法を示す報知内容データを情報処理装置７の報知内容データ格納部に格納する。そして、表示制御部は、例えば、入力手段により報知アイコンが選択されたときは、当該報知アイコンに対応する報知内容データを報知内容データ格納部から取得し、当該報知内容をディスプレイ上に表示する。
【００８０】
前記実施形態では、グラフ上にノズルの各チャンバ間の移動（作動位置間の移動）を示すものであったが、各チャンバ（作動位置）におけるノズルの昇降移動状態も併せて表示するようにしても良い。ここで昇降移動状態とは、各チャンバに対する略鉛直方向における進退移動である。昇降移動の表示態様としては、図９に示すように、ノズルが作動位置にある状態を示す水平部分に昇降状態を示すようにしても良い。この図においては、下降状態を凹部によって示しているが、上昇状態を凸部によって示しても良い。また、昇降状態を点線或いは実線、又は直線或いは波線等のように種類の異なる線によって示すようにしても良い。また、昇降状態を色分けして表示するようにしても良い。このようにノズルの下降状態及び上昇状態を視覚的に区別できる態様で表示することにより、ノズルの動きをより的確に表示することができ、動作不良の原因の特定を一層確実に行うことができる。
【００８１】
さらに、ノズルの基準動きを表示する態様として、ノズルの実動作と同様に線により表示しても良いが、図１０に示すように、各作動位置における位置に幅を持たせて帯状に表示することもできる。また、各作動位置間の移動を示す線を帯状に表示しても良い。これならば、実動作と基準動きとの関係により、装置の不具合（故障）を早期に発見できるようになる。
【００８２】
その他、前述した実施形態や変形実施形態の一部又は全部を適宜組み合わせてよいし、本発明は前記実施形態に限られず、その趣旨を逸脱しない範囲で種々の変形が可能であることは言うまでもない。
【図面の簡単な説明】
【００８３】
【図１】本発明の一実施形態に係る血液分析装置の模式的構成図。
【図２】同実施形態における血液分析装置の全体流体回路図。
【図３】情報処理装置の機能構成図。
【図４】表示制御部の表示内容を示す図。
【図５】表示制御部の表示内容を示す図。
【図６】表示制御部の表示内容を示す図。
【図７】各情報を段階的に表示した場合の動作不良の原因特定を示す図。
【図８】その他の変形実施形態に係る表示制御部の表示内容を示す図。
【図９】その他の変形実施形態に係る表示制御部の表示内容を示す図。
【図１０】その他の表示制御部の表示内容を示す図。
【符号の説明】
【００８４】
Ｔ・・・検体容器
１００・・・生体試料検査装置（血液分析装置）
１・・・作動子（ノズル）
Ｇ・・・グラフ
７３・・・表示制御部
【図１】
2010060526.tif 000003
【図２】
2010060526.tif 000004
【図３】
2010060526.tif 000005
【図４】
2010060526.tif 000006
【図５】
2010060526.tif 000007
【図６】
2010060526.tif 000008
【図７】
2010060526.tif 000009
【図８】
2010060526.tif 000010
【図９】
2010060526.tif 000011
【図１０】
2010060526.tif 000012